(57)【要約】【課題】装飾具をシートに簡単に取り付けることができ量産に適したシートや装飾具のシートへの取り付け構造を提供する。【解決手段】シート１０では、装飾具２０の複数の脚部２１が表皮１３、１５に設けられた複数の孔１３Ａにそれぞれ取り付けられることにより装飾具２０が表皮１３、１５上に取り付けられている。そのため、装飾具２０を、シート１０の吊り込み部１７や吊り込み部１７以外の表皮１３、１５の部分に簡単に取り付けることが可能となり、シート１０が量産に適したものとなり、装飾具２０が取り付けられたシート１０の量産化を図ることが可能となる。また、シート１０に装飾具２０を取り付けることで、シート１０に高級感を持たせることが可能となる。【選択図】図６
2020192843.tif 000002
【特許請求の範囲】
【請求項１】
装飾具の複数の脚部が表皮に設けられた複数の孔にそれぞれ取り付けられることにより前記装飾具が前記表皮上に取り付けられていることを特徴とするシート。
【請求項２】
前記装飾具の前記脚部の個数は２つであることを特徴とする請求項１に記載のシート。
【請求項３】
前記装飾具が、前記表皮の裏面側で、前記複数の脚部に嵌合部材をそれぞれ嵌合させることにより前記表皮上に取り付けられていることを特徴とする請求項１又は請求項２に記載のシート。
【請求項４】
前記装飾具が、前記表皮の裏面側で、前記複数の脚部がそれぞれかしめられて変形することにより前記表皮上に取り付けられていることを特徴とする請求項１から請求項３のいずれか一項に記載のシート。
【請求項５】
前記装飾具が、前記表皮を内部のクッション側に吊り込んだ吊り込み部に取り付けられていることを特徴とする請求項１から請求項４のいずれか一項に記載のシート。
【請求項６】
前記装飾具の前記複数の脚部が前記吊り込み部を跨ぐように取り付けられていることを特徴とする請求項５に記載のシート。
【請求項７】
前記装飾具は装飾用のボタンであることを特徴とする請求項１から請求項６のいずれか一項に記載のシート。
【請求項８】
前記シートは車両用シートであることを特徴とする請求項１から請求項７のいずれか一項に記載のシート。
【請求項９】
装飾具の複数の脚部が、シートの表皮を内部のクッション側に吊り込んだ吊り込み部を跨ぐように取り付けられることにより、前記装飾具が前記シートの前記表皮上に取り付けられていることを特徴とする装飾具のシートへの取り付け構造。
【発明の詳細な説明】
【技術分野】
【０００１】
本発明は、シート及び装飾具のシートへの取り付け構造に関する。
【背景技術】
【０００２】
ソファに装飾用のボタンを取り付ける場合、例えば図８に示すように、リング状の脚部１０１に糸１０２を通した状態のボタン１００をソファ２００の表皮２０１上に取り付け、糸１０２を下向きに引っ張って図示しない固定具に固定することで、ボタン１００で表皮２０１を内部のクッション２０２側に吊り込むようにしてボタン１００をソファ２００に取り付ける場合がある。
【０００３】
そして、このようにしてボタン１００をソファ２００の表皮２０１に埋め込むようにして取り付けることで（すなわちボタン１００でソファ２００の表皮２０１を吊り込むように取り付けることで）、ソファ２００に高級感を持たせることができる。
そして、例えば特許文献１、２では、これを車両用シートに応用して、同様の構成で車両用シートの吊り込み部に取り付けられる装飾用のボタンや、装飾用のボタンの車両用シートへの取り付け構造が提案されている。
【先行技術文献】
【特許文献】
【０００４】
【特許文献１】特開昭６１−７５７９７号公報
【特許文献２】特開昭６１−１６３５９９号公報
【発明の概要】
【発明が解決しようとする課題】
【０００５】
しかしながら、上記のように、ボタンの脚部に糸を通し、その糸をクッションの内部に通し、それを引っ張って車両用シートに吊り込み部を形成しつつ吊り込み部にボタンを取り付ける作業は非常に手間がかかるため、車両用シートの量産には適さない。
そして、シートにボタン等の装飾具を簡単に取り付けることが可能な構造や方法等を見出すことができれば、車両用シートを含むシートへの装飾具の取り付けをより簡単に行うことが可能となり、シートの量産に向くものとなる。
【０００６】
本発明は上記事情に鑑みてなされたものであり、装飾具をシートに簡単に取り付けることができ量産に適したシートや装飾具のシートへの取り付け構造を提供することを目的とする。
【課題を解決するための手段】
【０００７】
以上の課題を解決するため、請求項１に記載の発明は、シートにおいて、装飾具の複数の脚部が表皮に設けられた複数の孔にそれぞれ取り付けられることにより前記装飾具が前記表皮上に取り付けられていることを特徴とする。
【０００８】
請求項２に記載の発明は、請求項１に記載のシートにおいて、前記装飾具の前記脚部の個数は２つであることを特徴とする。
【０００９】
請求項３に記載の発明は、請求項１又は請求項２に記載のシートにおいて、前記装飾具が、前記表皮の裏面側で、前記複数の脚部に嵌合部材をそれぞれ嵌合させることにより前記表皮上に取り付けられていることを特徴とする。
【００１０】
請求項４に記載の発明は、請求項１から請求項３のいずれか一項に記載のシートにおいて、前記装飾具が、前記表皮の裏面側で、前記複数の脚部がそれぞれかしめられて変形することにより前記表皮上に取り付けられていることを特徴とする。
【００１１】
請求項５に記載の発明は、請求項１から請求項４のいずれか一項に記載のシートにおいて、前記装飾具が、前記表皮を内部のクッション側に吊り込んだ吊り込み部に取り付けられていることを特徴とする。
【００１２】
請求項６に記載の発明は、請求項５に記載のシートにおいて、前記装飾具の前記複数の脚部が前記吊り込み部を跨ぐように取り付けられていることを特徴とする。
【００１３】
請求項７に記載の発明は、請求項１から請求項６のいずれか一項に記載のシートにおいて、前記装飾具は装飾用のボタンであることを特徴とする。
【００１４】
請求項８に記載の発明は、請求項１から請求項７のいずれか一項に記載のシートにおいて、前記シートは車両用シートであることを特徴とする。
【００１５】
請求項９に記載の発明は、装飾具のシートへの取り付け構造において、装飾具の複数の脚部が、シートの表皮を内部のクッション側に吊り込んだ吊り込み部を跨ぐように取り付けられることにより、前記装飾具が前記シートの前記表皮上に取り付けられていることを特徴とする。
【発明の効果】
【００１６】
請求項１に記載の発明によれば、装飾具を、シートの吊り込み部や吊り込み部以外の表皮の部分に簡単に取り付けることが可能となり、シートが量産に適したものとなり、装飾具が取り付けられたシートの量産化を図ることが可能となる。また、シートに装飾具を取り付けることで、シートに高級感を持たせることが可能となる。
【００１７】
請求項２に記載の発明によれば、装飾具の脚部が２つであっても装飾具を確実に表皮上に取り付けることが可能となるとともに、装飾具を表皮上に取り付ける際に嵌合部材を取り付けたりかしめたりする箇所が２つで済むため、装飾具をシートに簡単に取り付けることが可能となる。
【００１８】
請求項３、４に記載の発明によれば、表皮の裏面側で装飾具の各脚部に嵌合部材を嵌合させたり脚部をかしめたりするだけで装飾具を表皮上に取り付けることができるため、装飾具をシートに簡単に取り付けることが可能となる。そのため、装飾具を取り付けたシートの量産化を図ることが可能となる。
【００１９】
請求項５に記載の発明によれば、装飾具の脚部が１つだけだと装飾具を表皮の吊り込み部に取り付けることは困難であるが、装飾具の脚部を複数にすることで、装飾具を吊り込み部に簡単に取り付けることが可能となる。
【００２０】
請求項６、９に記載の発明によれば、上記のように装飾具を吊り込み部に取り付ける際に装飾具の複数の脚部が吊り込み部を跨ぐように取り付けることで装飾具を吊り込み部に非常に簡単に取り付けることが可能となる。
【００２１】
請求項７に記載の発明によれば、装飾用のボタンをシートの表皮上に簡単に取り付けることが可能となる。
【００２２】
請求項８に記載の発明によれば、装飾具を車両用シートの表皮上に簡単に取り付けることが可能となる。
【図面の簡単な説明】
【００２３】
【図１】シートを表す斜視図である。
【図２】（Ａ）、（Ｂ）装飾具がシートの表皮上に取り付けられる際の基本的な構成を表す図である。
【図３】脚部を（Ａ）３つ、（Ｂ）４つ設けた装飾具の構成例を表す底面図である。
【図４】シートの吊り込み部の構成例を表す断面図である。
【図５】脚部が１つだけ設けられた装飾具を表す図である。
【図６】複数の脚部が吊り込み部を跨ぐように装飾具を取り付けた状態を表す図である。
【図７】表皮の裏面側の縫合部に縫い付けた糸を引っ張って形成した点状の吊り込み部に装飾具を取り付けた状態を表す図である。
【図８】ボタンの脚部に通しクッションの内部に通した糸を引っ張って車両用シートに吊り込み部を形成しつつ吊り込み部にボタンを取り付けた状態を表す図である。
【発明を実施するための形態】
【００２４】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
また、以下では、シートが車両用シートである場合について説明するが、シートはソファ等の他の態様のシートであってもよい。また、以下では、装飾具が装飾用のボタンである場合について説明するが、装飾具はボタン以外のものであってもよい。
【００２５】
図１に示すように、シート１０は、乗員の臀部及び大腿部を支持するシートクッション１１と、下端部がシートクッション１１に支持されて背もたれとなるシートバック１４と、シートバック１４に設けられて乗員の頭部を支持するヘッドレスト１６と、を備えている。
なお、この他、ネックレストやアームレスト、フットレスト、オットマン等の補助支持部を備えていてもよい。
【００２６】
シートクッション１１は、骨格となるシートクッションフレーム（図示省略）と、シートクッションフレーム上に設けられたクッションパッド１２（後述する図２（Ａ）、（Ｂ）等参照）と、シートクッションフレームやクッションパッド１２を被覆してシートの表面を構成する表皮１３と、から主に構成されている。
また、シートバック１４は、骨格となるシートバックフレームと、シートバックフレーム上（シートバックフレームの前側）に設けられたクッションパッド（いずれも図示省略）と、シートバックフレームやクッションパッドを被覆してシートの表面を構成する表皮１５と、から主に構成されている。
【００２７】
そして、シートクッション１１やシートバック１４には、表皮１３、１５を内部のクッション（クッションパッド１２）側に吊り込んだ吊り込み部１７が形成されている。
また、シートクッション１１の表皮１３上やシートバック１４の表皮１５上にはボタン状の装飾具２０が取り付けられている。
【００２８】
以下、シート１０への装飾具２０の取り付け等について説明する。
なお、以下では、装飾具２０がシートクッション１１の表皮１３上に取り付けられている場合について説明するが、装飾具２０がシートバック１４の表皮１５上に取り付けられている場合も同様に説明される。
【００２９】
図２（Ａ）、（Ｂ）は、本実施形態で装飾具がシートの表皮上に取り付けられる際の基本的な構成を表す図である。
本実施形態では、装飾具２０は、複数の脚部２１を有している。また、シート１０のシートクッション１１の表皮１３には、複数の孔１３Ａが設けられている。そして、装飾具２０は、複数の脚部２１が表皮１３に設けられた複数の孔１３Ａにそれぞれ取り付けられることにより表皮１３上に取り付けられている。
【００３０】
なお、以下では、装飾具２０に２つの脚部２１が設けられており、表皮１３に孔１３Ａが２つ設けられている場合について説明する。このように装飾具２０の脚部２１が２つであっても装飾具２０を確実に表皮１３上に取り付けることが可能となるとともに、後述するように装飾具２０を表皮１３上に取り付ける際に嵌合部材２２を取り付けたりかしめたりする箇所が２つで済むため、装飾具２０をシート１０に簡単に取り付けることが可能となる。
しかし、例えば、装飾具２０に、図３（Ａ）に示すように脚部２１を３つ設けたり、図３（Ｂ）に示すように脚部２１を４つ設けたりすることも可能であり、装飾具２０の脚部２１の個数は複数であれば特に制限はない。
【００３１】
装飾具２０の取り付けに際しては、例えば図２（Ａ）に示すように、表皮１３の各孔１３Ａに挿通した装飾具２０の複数の脚部２１に、表皮１３の裏面側（下面側）で嵌合部材２２をそれぞれ嵌合させることにより、装飾具２０を表皮１３上に取り付けることが可能である。
また、例えば図２（Ｂ）に示すように、表皮１３の各孔１３Ａに挿通した装飾具２０の複数の脚部２１に、表皮１３の裏面側（下面側）で係止部材２３を嵌め、各脚部２１をそれぞれかしめて変形させることで、装飾具２０を表皮１３上に取り付けることも可能である。なお、係止部材２３は必ずしも設けなくてもよい。
【００３２】
このように構成すれば、装飾具２０の各脚部２１を表皮１３の各孔１３Ａに挿通して表皮１３の裏面側で脚部２１に嵌合部材２２を嵌合させたり脚部２１をかしめたりするだけで装飾具２０を表皮１３上に取り付けることができるため、装飾具２０をシート１０に簡単に取り付けることが可能となる。
また、そのため、装飾具２０を取り付けたシート１０の量産化を図ることが可能となる。
【００３３】
一方、上記のような装飾具２０のシート１０への取り付け構造を用いると、装飾具２０をシート１０の吊り込み部１７（図１参照）にも簡単に取り付けることが可能となる。
以下、この点について詳しく説明する。
【００３４】
シート１０の吊り込み部１７は、例えば図４に示すようにして形成される。
すなわち、表皮１３の裏面側の縫い合わせ部分Ａに、布を二つ折りに折り返して形成された吊り布３０が縫い付けられており、吊り布３０の折り返し部の内側に吊りワイヤ３１が挿通されている。クッションパッド１２側にはインサートワイヤ３２がモールド成形されている。そして、Ｃリング３３で吊りワイヤ３１をインサートワイヤ３２側に引き込むようにして両者を連結することで吊り込み部１７が形成される。
なお、シート１０の吊り込み部１７を他の公知の方法で形成してもよい。
【００３５】
そして、本実施形態では、装飾具２０を吊り込み部１７に取り付ける場合、図８に示した従来の取り付け方のようにボタン１００（装飾具）をクッション２０２側に引っ張って取り付けることでシートに吊り込み部を形成するのではなく、図４に示したように既にシート１０に形成されている吊り込み部１７に装飾具２０を取り付けるようになっている。
あるいは、表皮１３の縫い合わせ部分に予め装飾具２０を取り付けておき、その状態で吊り込み部１７を形成するように構成してもよい。
【００３６】
すなわち、本実施形態では、装飾具２０のシート１０への取り付けは、シート１０への吊り込み部１７の形成とは無関係に行われる。
そのため、装飾具２０をシート１０の吊り込み部１７に取り付ける場合であっても、装飾具２０をシート１０（吊り込み部１７）に簡単に取り付けることが可能となり、装飾具２０が取り付けられたシート１０の量産化を図ることが可能となる。
【００３７】
装飾具２０を単にシート１０の表皮１３上に取り付けるだけであれば、例えば図５に示すように、装飾具２０＊に脚部２１＊を１つだけ設けておき、１つの脚部２１＊に嵌合部材を取り付けたり脚部２１＊をかしめたりして装飾具２０＊をシート１０の表皮１３に取り付ければよい。
しかし、このように装飾具２０＊の脚部２１＊が１つであると、装飾具２０＊をシート１０の吊り込み部１７に取り付ける場合、装飾具２０＊の脚部２１＊を取り付ける孔を表皮１３の縫い合わせ部分Ａ（図４参照）に設けることになるが、必ずしも容易ではない。また、表皮１３の裏面側で装飾具２０＊の脚部２１＊に嵌合部材を取り付けたりかしめたりする際、表皮１３の縫い合わせ部分Ａ等が邪魔になり、作業が困難になる。
【００３８】
それに対し、本実施形態のように装飾具２０に脚部２１が複数設けられていれば、図６に示すように、装飾具２０の複数の脚部２１がシート１０の吊り込み部１７（表皮１３の縫い合わせ部分Ａ）を跨ぐように取り付けることが可能となる。
そのため、図６に示すように、装飾具２０の各脚部２１を取り付けるための表皮１３の孔１３Ａを吊り込み部１７以外の部分に簡単に設けることができ、また、表皮１３の裏面側で装飾具２０の脚部２１に嵌合部材２２を取り付けたり脚部２１をかしめたりする際に、表皮１３の縫い合わせ部分Ａ等が邪魔にならないため、取り付け作業を簡単に行うことが可能となる。
【００３９】
以上のように、本実施形態に係るシート１０や装飾具２０のシート１０への取り付け構造によれば、シート１０の表皮１３、１５上に取り付ける装飾具２０に脚部２１を複数設けておき、装飾具２０の複数の脚部２１がシート１０の表皮１３、１５に設けられた複数の孔１３Ａにそれぞれ取り付けられることにより装飾具２０が表皮１３、１５上に取り付けられる。
そのため、装飾具２０を、シート１０の吊り込み部１７以外の表皮１３の部分（図２（Ａ）、（Ｂ）参照）は勿論、シート１０の吊り込み部１７（図６参照）であっても簡単に取り付けることが可能となり、シート１０が量産に適したものとなり、装飾具２０が取り付けられたシート１０の量産化を図ることが可能となる。
また、シート１０に装飾具２０を取り付けることで、シート１０に高級感を持たせることが可能となる。
【００４０】
なお、上記の実施形態では、シート１０の吊り込み部１７が線状であり（図１参照）、線状の吊り込み部１７に装飾具２０を取り付ける場合について説明した（図６参照）。
しかし、図示を省略するが、シート１０の表皮１３（又は表皮１５。以下同じ。）の１点を凹ませて形成した吊り込み部１７に装飾具２０を取り付けることも可能である。
【００４１】
この場合、例えば図７に示すように表皮１３の裏面側の縫合部Ｂに糸３４を縫い付けたり、あるいは図示を省略するが、表皮１３に直接又は図示しない固定部材を介する等して糸３４を縫い付けておき、糸３４をクッションパッド１２の内部に引き込むことで、表皮１３の１点を凹ませた点状の吊り込み部１７を形成することができる。
そして、この場合も、シート１０の表皮１３に点状の吊り込み部１７を形成する前や形成した後に、図７に示すように吊り込み部１７に装飾具２０を取り付けることができる。
【００４２】
その際、図５に示したように装飾具２０＊の脚部２１＊が１つだけであると、表皮１３の孔１３Ａを表皮１３の縫合部Ｂ（図７参照）の所に設けたり、あるいは糸３４を表皮１３に縫い付けた所に孔１３Ａを設けたりしなければならなくなり、装飾具２０＊を吊り込み部１７に取り付けることが困難になる。
しかし、本実施形態のように装飾具２０に脚部２１が複数設けられていれば、図７に示すように、装飾具２０の複数の脚部２１が表皮１３の縫合部Ｂ等を跨ぐように取り付けることができる。そのため、装飾具２０を点状の吊り込み部１７に非常に簡単に取り付けることが可能となる。
【００４３】
なお、本発明は上記の実施形態に限定されず、本発明の趣旨を逸脱しない限り、適宜変更可能であることは言うまでもない。
【符号の説明】
【００４４】
１０  シート（シート、車両用シート）
１２  クッションパッド（クッション）
１３、１５  表皮
１３Ａ  孔
１７  吊り込み部
２０  装飾具（装飾具、装飾用のボタン）
２１  脚部
２２  嵌合部材
【図１】
2020192843.tif 000003
【図２】
2020192843.tif 000004
【図３】
2020192843.tif 000005
【図４】
2020192843.tif 000006
【図５】
2020192843.tif 000007
【図６】
2020192843.tif 000008
【図７】
2020192843.tif 000009
【図８】
2020192843.tif 000010